(57)【要約】【課題】椅子の座や背凭れのフレームに張地を取り付ける際に当該フレームが曲がりの程度がきつい湾曲部をたとえ有していたとしても張地の皺の発生を防いで外観を良好なものとすることを可能とする。【解決手段】張地７の左右の縁部に細長板状の係止プレート１５をそれぞれ取り付けると共に当該係止プレート１５と一緒に左右の縁部をサイドフレーム６に形成された溝１１に嵌め込んで張地７を係止する構造において、サイドフレーム６の湾曲部６ｃにおいて係止プレート１５を分割するようにした。【選択図】図１
2011110279.tif 000002
【特許請求の範囲】
【請求項１】
張地の縁部に細長板状の係止プレートを取り付けると共に当該係止プレートと一緒に前記縁部をフレームに形成された溝に嵌め込んで前記張地を係止する構造において、前記フレームの湾曲部において前記係止プレートを分割することを特徴とする張地の係止構造。
【請求項２】
前記係止プレートは前記湾曲部の少なくとも両端で分割されていることを特徴とする請求項１記載の張地の係止構造。
【請求項３】
前記係止プレートは硬質部と軟質部とを有することを特徴とする請求項１記載の張地の係止構造。
【発明の詳細な説明】
【技術分野】
【０００１】
本発明は、張地の係止構造に関する。さらに詳述すると、本発明は、椅子の座や背凭れ等において適度な弾力性と張力とを発揮し得る張地をフレームに取り付けるための係止構造に関する。
【背景技術】
【０００２】
椅子の背凭れの張地をフレームに取り付けるための従来の係止構造としては例えば、図９に示すように、背フレーム１０３に支持されるバックアップ材１０４の横枠１０４ａの上端面及び左右の縦枠１０４ｂ，１０４ｂの外側端面にそれぞれ凹溝１０４ｘを形成すると共に背凭れ用張地１０１の上側及び左右両側の縁部に長尺薄板状の樹脂製プレート１０２を取り付け、当該樹脂製プレート１０２が取り付けられた縁部を樹脂製プレート１０２ともども折り返すようにしてバックアップ材１０４の凹溝１０４ｘに嵌め込んで係止するものがある（特許文献１）。なお、背凭れ用張地１０１の下端は、当該下端に取り付けられたブラケット１０５を剛性横架材１０６にボルト１０７を用いて固定することによって取り付けられる。
【先行技術文献】
【特許文献】
【０００３】
【特許文献１】特開２００７−１３０３４１号
【発明の概要】
【発明が解決しようとする課題】
【０００４】
しかしながら、特許文献１の張地の係止構造では、座や背凭れのフレームが曲がりの程度がきつい湾曲部（言い換えると、曲率半径が小さい湾曲部）を有している場合にはバックアップ材１０４の凹溝１０４ｘと前面（即ち、着座者側の面）との距離差（言い換えると、曲率半径の差違）に起因して当該湾曲部において背凭れ用張地１０１に皺が発生してしまい、このために外観の美しさが損なわれてしまうという問題がある。
【０００５】
そこで、本発明は、椅子の座や背凭れのフレームに張地を取り付ける際に当該フレームが湾曲部をたとえ有していたとしても張地の皺の発生を防いで外観を良好なものとすることができる張地の係止構造を提供することを目的とする。
【課題を解決するための手段】
【０００６】
かかる目的を達成するため、請求項１記載の張地の係止構造は、張地の縁部に細長板状の係止プレートを取り付けると共に当該係止プレートと一緒に縁部をフレームに形成された溝に嵌め込んで張地を係止する構造において、フレームの湾曲部において係止プレートを分割するようにしている。
【０００７】
したがって、この張地の係止構造によると、張地をフレームに対して張る際に張地が張られるフレームの着座者側の面と張地が嵌め込まれる溝との距離差（言い換えると、曲率半径の差違）に起因して張地に皺が発生してしまったとしても、湾曲部において係止プレートが切断面を有して分割されているので、係止プレートに拘束されることなく張地を引っ張ることができる。
【０００８】
また、請求項２記載の発明は、請求項１記載の張地の係止構造において、係止プレートは湾曲部の少なくとも両端で分割されているようにしている。この場合には、皺が適切により一層確実に解消される。
【０００９】
また、請求項３記載の発明は、請求項１記載の張地の係止構造において、係止プレートは硬質部と軟質部とを有するようにしている。この場合には、硬質部をフレームの溝に嵌め込むようにすると共に外物が接触したり着座者が触れたりする部分には軟質部を配置するようにすることができる。
【発明の効果】
【００１０】
請求項１記載の張地の係止構造によれば、湾曲部において係止プレートが切断面を有して分割されているので係止プレートに拘束されることなく張地を引っ張ることができ、皺を解消することができるので、外観の良好性の向上を図ることが可能になる。また、使用に際して皺の凸部分に摩擦が集中して当該凸部分が擦り切れてしまうことを回避することができるので、耐久性の向上が可能になる。
【００１１】
また、請求項２記載の張地の係止構造によれば、皺を適切により一層確実に解消することができるので、外観の良好性の更なる向上を図ることが可能になる。また、皺の凸部分が擦り切れてしまうことをより一層確実に回避することができるので、耐久性の更なる向上が可能になる。
【００１２】
また、請求項３記載の張地の係止構造によれば、硬質部をフレームの溝に嵌め込むと共に外物が接触したり着座者が触れたりする部分に軟質部を配置することにより、張地を確実に係止することができると共に外物が衝突した場合には軟質部を張地とフレームとの間に介在させ緩衝材として機能させ衝撃を吸収して張地の損傷を回避することができるので安全性と耐久性との向上を図ることが可能になり、さらに、着座者の着座時のフレームとの接触面を柔軟な感触にすることができるので快適性の向上を図ることが可能になる。
【図面の簡単な説明】
【００１３】
【図１】本発明の張地の係止構造の実施形態の一例を示す側面図である。
【図２】本発明の張地の係止構造の実施形態の一例を説明するための椅子の全体構成を示す側面図である（なお、張地が張られていない状態の図である）。
【図３】本発明の張地の係止構造の実施形態の一例を説明するための椅子の全体構成を示す正面図である。
【図４】実施形態の椅子におけるサイドフレームの片持ち支持の構造を説明する縦断面図である。
【図５】実施形態における張地を係止するための溝を説明する側面図である。
【図６】実施形態における張地の構成を説明する裏面図である。
【図７】図４のＩ−Ｉ線に沿う断面図である。
【図８】実施形態における張地前縁部の左右端部の係止の仕方を説明する縦断面図である。
【図９】椅子の張地の従来の係止構造を示す図である。（Ａ）は背凭れ部分を中心とする分解斜視図である。（Ｂ）は張地の係止構造を示す断面図である。
【発明を実施するための形態】
【００１４】
以下、本発明の構成を図面に示す実施の形態の一例に基づいて詳細に説明する。
【００１５】
図１から図８に、本発明の張地の係止構造の実施形態の一例を示す。なお、本実施形態では、本発明の張地の係止構造を図２及び図３に全体構成を示す椅子１のサイドフレーム６への張地７の取り付けに適用した場合を例に挙げて説明する。また、本明細書においては座４に座った着座者を基準にして上下、前後、左右を定義する。
【００１６】
本実施形態の椅子１は、キャスターを有する脚１４と、脚１４の脚支柱１４ａの上端に取り付けられ支持されるメインフレーム２と、メインフレーム２の上方左右両側に離間して対向配置されメインフレーム２に前側端部６ｄが片持ち支持される一対のサイドフレーム６，６と、これら左右一対のサイドフレーム６，６の間に張り渡される張地７とを備える。そして、左右一対のサイドフレーム６，６と張地７とによって座４及び当該座４に連続する背凭れ８が形成される。
【００１７】
サイドフレーム６としては例えば型材，棒材，パイプ材，板材などの使用が可能である。本実施形態では、サイドフレーム６はアルミ合金の押し出し成型品を所定の形状に曲げることで形成される。
【００１８】
サイドフレーム６には、座４となる水平部６ａ及び背凭れ８となる垂直部６ｂ並びにこれら水平部６ａと垂直部６ｂとを連結する湾曲部６ｃ（着座者が位置する側から見ると凹みの湾曲）が連続的に形成される。そして、左右のサイドフレーム６，６は、湾曲部６ｃ部分同士が左右方向の中間連結部材９によって連結されると共に垂直部６ｂの上端部分同士が左右方向の上端連結部材１０によって連結されて座４及び背凭れ８を構成するフレームとしての剛性が確保されている。なお、本実施形態では、中間連結部材９の左右両端に左右対向する一対の肘掛け１３，１３が取り付けられる。
【００１９】
そして、各サイドフレーム６の前側端部６ｄ（水平部６ａの前側端部に該当）はメインフレーム２のアーム２ａに片持ち支持されている。
【００２０】
メインフレーム２は、脚１４の脚支柱１４ａの上端に取り付けられるベース２ｂと、当該ベース２ｂの前部上面に左右両側に離間して対向して設けられて前方斜め上方に向けて伸びる左右一対のアーム２ａ，２ａとを有する。そして、各アーム２ａの上端にはサイドフレーム６の水平部６ａに合わせて後方に向けて伸びて前側端部６ｄを下から支持する支持部２ｃが設けられる。なお、上述の構成を有するメインフレーム２は例えばアルミダイキャスト法によって一体成型される。
【００２１】
各アーム２ａの支持部２ｃの上面には、サイドフレーム６の前側端部６ｄの形状に合わせて形成されて当該前側端部６ｄを下から受ける凹部１６が形成される。凹部１６は、支持部２ｃの後側にはそのまま突き抜け、前側は前側端部６ｄの前端面６ｅを受ける縦壁２ｄによって塞がれるものとして形成される。縦壁２ｄは、支持部２ｃの前端（即ち、アーム２ａの前面）に形成され、アーム２ａの方向と同じ前方斜め上方向に沿っている。以下においては、凹部１６を形成する椅子の幅方向内側の壁のことを内側壁２ｅと呼ぶ。
【００２２】
そして、前端面６ｅを縦壁２ｄの後面に当接させて前側端部６ｄが支持部２ｃの凹部１６に嵌め合わされた状態で、縦壁２ｄを貫通する前側端部６ｄの軸心方向の一本の軸部材３及び内側壁２ｅを貫通する椅子の幅方向外向きの二本の軸部材２２，２２が前側端部６ｄにねじ込まれることによって左右のサイドフレーム６，６がそれぞれ左右のアーム２ａ，２ａに取り付けられて固定される。なお、両部材を固定するための軸部材３，２２としては例えばタッピンねじやボルトなどが用いられる。
【００２３】
なお、本実施形態では、軸部材３と縦壁２ｄの前面との間に挟み込まれた取付金具２５の周縁に上から嵌め込まれて係止するカバー２４によって軸部材３の取付部分の前面が覆われる。
【００２４】
このように、本実施形態の椅子１は、座４の左右側部のフレームとして機能する左右の各サイドフレーム６は前側端部６ｄをメインフレーム２のアーム２ａの支持部２ｃに片持ち支持されているので、着座者が座４に座る（また、背凭れ８に凭れる）と支持部２ｃに支持されていない後側（即ち湾曲部６ｃ側）を下げて支持部２ｃに支持されている前側端部６ｄを持ち上げようとする回転モーメントＭが各サイドフレーム６に作用する。
【００２５】
そして、本実施形態の椅子１における各サイドフレーム６の片持ち支持の構造によれば、各々が折られる方向で軸部材３及び軸部材２２，２２が回転モーメントＭを受けるので、回転モーメントをねじの軸方向に沿うものとして受けて単にねじ山だけで対抗しようとする場合と比べ、回転モーメントＭに対抗する支持剛性を大幅に高めて支持部２ｃに前側端部６ｄを確実に固定することができる。
【００２６】
左右のサイドフレーム６，６のそれぞれには、張地７の左右縁部を嵌め込み固定するための溝１１がサイドフレーム６の外側面に全長に亘って形成される。この溝１１は、椅子の座や背などの身体支持構造物としての支持剛性を主として担うものとして機能し、張地７に張力が付与された状態で係止プレート１５と共に張地７の縁が嵌め込まれる。
【００２７】
また、サイドフレーム６，６のそれぞれには、張地７の前縁部の左右端部を嵌め込むためのコーナー部溝１２Ａが前側端部６ｄの前端面６ｅに形成されると共に張地７の後縁部の左右端部を嵌め込むためのコーナー部溝１２Ｂが垂直部６ｂの後端面６ｆに形成される。これらコーナー部溝１２Ａ，１２Ｂは、溝１１と連続して形成され、張地７の前後端縁のコーナー部にそれぞれ形成されるポケット部１７にサイドフレーム６の前後端面６ｅ，６ｆのコーナー部溝１２Ａ，１２Ｂよりも上方が完全に包み込まれるように嵌合するように、サイドフレーム６の外側面の溝１１と連通してサイドフレーム６の内側に完全に貫通するように形成される。
【００２８】
そして、本実施形態の張地の係止構造は、張地７の左右の縁部に細長板状の係止プレート１５をそれぞれ取り付けると共に当該係止プレート１５と一緒に左右の縁部をサイドフレーム６に形成された溝１１に嵌め込んで張地７を係止する構造において、サイドフレーム６の湾曲部６ｃにおいて係止プレート１５を分割するようにしている。
【００２９】
張地７は、本実施形態では、左右のサイドフレーム６，６が設けられている幅よりもやや広めの幅、且つ、サイドフレーム６の形状に沿う長さよりもやや長めの全長を有する矩形に形成される。そして、張地７は、左右縁部と前後縁部のうちの左右端部とを左右のサイドフレーム６，６に張力を与えつつ嵌め込むことで両サイドフレーム６，６の間に張り渡され、座４及び背凭れ８の弾性支持要素として機能し、座４及び背凭れ８の面を構成する上張地として機能する。なお、張地７は、矩形状に限られるものではなく、左右の間隔が部分的に変化しているサイドフレーム６，６の間に張り渡す場合や、張力を部分的に変化させたい場合などには、矩形以外の形状に形成される。
【００３０】
なお、張地７の材質は、左右のサイドフレーム６，６の間に張り渡された状態で座４及び背凭れ８として適度な弾力性と張力とを発揮し得る材質（言い換えると、伸縮自在の素材）であれば特定のものに限定されるものではなく、例えばポリエステル製メッシュシート，各種の樹脂フィルム，布地，不織布などが用いられる。
【００３１】
本実施形態の係止プレート１５は、樹脂製であり、二色成形によって溝１１に嵌合される硬質部（コードとも呼ばれる）１５Ａと溝１１の縁からサイドフレーム６の上面にかけて配置される軟質部１５Ｂとからなるものとして一体成形される。そして、本実施形態では、係止プレート１５は、左右のサイドフレーム６，６の上に被せられる張地７の左右の縁部のそれぞれに、前端から後端の全体に亘って設けられ、張り渡された状態において軟質部１５Ｂが張地７の内側に配置されると共に外側に硬質部１５Ａが配置されるようにして当該硬質部１５Ａが縫い付けられて固定される（縫い線７ａ；張地７のうち前側の左側部の裏面を示す図６参照）。なお、張地７への係止プレート１５の取付方法は縫い付けには限られず、例えば接着や溶着などで取り付けるようにしても良い。
【００３２】
硬質部１５Ａは、張地７の縁部に取り付けられ、張力が付与されて張地７がサイドフレーム６に被せられた状態で外側面の溝１１に嵌め込まれたときに張地７の張力によって溝１１に引っかかって抜け止めとして機能することによって張地７をサイドフレーム６に固定するものである。本実施形態の場合、硬質部１５Ａの先端にはフック１５ｘが形成され、溝１１の奥側の底面には凹み１１ａが形成される。こにより、溝１１に係止プレート１５が嵌め込まれた状態では、張地７にかかる張力で引っ張られる係止プレート１５の先端のフック１５ｘが凹み１１ａに引っかかって抜け止め機能を更に向上させる。このため、硬質部１５Ａは、溝１１に嵌め込まれた状態から抜けないように簡単には折り曲がらない程度の硬さを有する素材で形成される。具体的には、硬質部１５Ａは、所定の硬さを有する合成樹脂、例えばポリプロピレンによって形成される。
【００３３】
軟質部１５Ｂは、張地７がサイドフレーム６に取り付けられた状態で張地７とサイドフレーム６との間に介在して外物との衝突に対する緩衝部材として機能し、外物との衝突に対して衝撃を吸収して張地７の損傷を回避するものである。同時に、着座者の着座時のフレームとの接触面を軟らかくする効果も奏するものである。このため、軟質部１５Ｂは、少なくともサイドフレーム６よりも柔らかく弾力性を有する素材で形成されることが望ましい。すなわち、弾力性を有する素材例えばエラストマー素材によって形成される。
【００３４】
なお、係止プレート１５は、場合によっては硬質部１５Ａのみから構成するようにしても良い。また、硬質部１５Ａと軟質部１５Ｂとは別々に成形した後に接着や溶着等によって結合させるようにしても良い。また、本実施形態では、硬質部１５Ａと軟質部１５Ｂとからなる係止プレート１５が全体として帯状のものとして成形されているが、係止プレート１５を取り付けた際に軟質部１５Ｂを載置するフレームの形状に予め合わせておくようにしたり取り付けを容易にしたりすることを考慮し、係止プレート１５全体としてＬ字形に成形したり、Ｕ字形に成形したりするようにしても良い。
【００３５】
ここで、本発明においては係止プレート１５が切断され分割されていることによって張地７を張って皺を解消することができるようにするものであるところ、係止プレート１５の切断・分割の仕方（或いは、言い換えると、切断・分割された係止プレート１５が張地７に取り付けられた状態を達成する仕方）としては、例えば、予め切断され複数に分割された係止プレート１５を張地７に取り付けるようにしても良いし、切断されていない一枚の係止プレート１５を張地７に取り付けてから切断して分割するようにしても良いし、所定箇所に切れ目線が予め設けられた一枚の係止プレート１５を張地７に取り付けた上でサイドフレーム６に取り付ける際に張地７と一緒に引っ張ることによって係止プレート１５を切断して分割するようにしても良い。
【００３６】
係止プレート１５をサイドフレーム６の外側面の溝１１に嵌め込む場合には、係止プレート１５の硬質部を溝１１に嵌め込む。このとき、軟質部はサイドフレーム６の上面に位置する。
【００３７】
本発明では、係止プレート１５は、張地７を長手方向に伸縮可能に取り付けるため、当該係止プレート１５が嵌め込まれるサイドフレーム６の湾曲部６ｃの両端において長手方向と直角方向に切断されて分割される。本実施形態では、座と背とが連続的に一体成形されたサイドフレーム６の水平部６ａと垂直部６ｂとの間の部分である湾曲部６ｃの両端位置（即ち二箇所）において切断され切断面１５ｄ，１５ｄが形成され、水平部６ａ部分に嵌め込まれる水平部係止プレート１５ａと湾曲部６ｃ部分に嵌め込まれる湾曲部係止プレート１５ｂと垂直部６ｂ部分に嵌め込まれる垂直部係止プレート１５ｃとに分割される。なお、係止プレート１５の切断方向は長手方向と直角方向に限られるものではなく、直角方向に対して斜め方向に切断されるものであっても良い。なお、切断され分割された係止プレート１５同士（言い換えると、切断面１５ｄ同士）は、隙間なく当接しているようにしても良いし、椅子１の使用状態において張地７の左右端部が溝１１から外れない程度に（例えば１〜５ｍｍ程度）隙間が空いていても良い。
【００３８】
ここで、本発明における湾曲部とは、張地７をサイドフレーム６，６に対して張る際に張地７が張られるフレームの着座者側の面と張地７が嵌め込まれる溝１１との距離差（言い換えると、曲率半径の差違）に起因して張地７に皺が発生してしまう若しくはその虞がある程度に曲がりの度合いがきつい湾曲（言い換えると、曲率半径が小さい湾曲）を有する部分をいう。
【００３９】
ここで、係止プレート１５の切断面１５ｄを挟んでそれぞれ長手方向に１０ｍｍ程度が張地７と縫合されず、都合２０ｍｍ程度に亘って張地７が係止プレート１５によって拘束されない領域（以下、無縫合領域と呼ぶ）が形成される。これによって、切断面１５ｄを中心に長手方向（即ち前後方向）に張地７が係止プレート１５に拘束されることなく伸縮自在に設けられる。これにより、湾曲部６ｃの付近において、サイドフレーム６の表面に張られた張地７とサイドフレーム６の外側面の溝１１に嵌合される係止プレート１５の硬質部１５Ａとの間の曲率半径の差に起因して起こる張地７の皺を張地７を伸縮させることで解消することができる。なお、係止プレート１５の分割の位置や数や無縫合領域の長さは、試作段階などにおいて明らかなものとなるので、必要に応じて決定することが好ましい。
【００４０】
また、本実施形態では、左右のサイドフレーム６，６の間の張地７の前後端の縁部には、左右のサイドフレーム６，６の間に亘る樹脂製の横梁プレート５，５がそれぞれ備えられる。本実施形態では、横梁プレート５は、張地７の前後縁部がそれぞれ裏面側に折り返されて縫い付けられて形成される筒部７ｃの中に摺動自在に収納される。なお、本実施形態では横梁プレート５は張地７に対して拘束されていないが、位置ずれや脱落防止のために一箇所を張地７に対して縫合することなどで固定するようにしても良い。この場合も、左右のサイドフレーム６，６の間のフレームによって直接は固定されない張地７の縁部に横梁プレート５を固定しながらも、この横梁プレート５によって張地７の縁部の形が保たれ張りが与えられると共に張地７の伸縮性が損なわれることもない。
【００４１】
横梁プレート５を収納するための帯状の筒部７ｃは左右の端部に切り欠き部分７ｄ，７ｄを有し、当該切り欠き部分７ｄから横梁プレート５は筒部７ｃの中に差し込まれる。また、筒部７ｃに切り欠き部分７ｄが形成されることによって筒部７ｃの左右の端部にポケット部１７が形成される。そして、コーナー部プレート１８が、筒部７ｃの筒状部分とポケット部１７とに跨って収納されて縫い付けられて固定される（縫い線７ｅ；図６参照）。
【００４２】
そして、張地７をサイドフレーム６，６に対して張り渡す際には、例えば、まず、サイドフレーム６の垂直部６ｂの後端面６ｆに形成されたコーナー部溝１２Ｂに張地７の後縁部の左右端部に形成されたポケット部１７を被せながらコーナー部プレート１８をコーナー部溝１２Ｂに嵌合させる。次に、張地７の左右側縁部の係止プレート１５ｃを、張地７に張力を付与した状態で一対のサイドフレーム６，６を覆いながらサイドフレーム６の垂直部６ｂの外側面側に引き込み、張地７の縁を下向きで且つ内側に折り返すようにして係止プレート１５ｃと張地７の縁とを溝１１に嵌め込んで係止する。
【００４３】
続いて、係止プレート１５ｂ，１５ｂを湾曲部６ｃの外側面の溝１１に嵌め込む。この際、湾曲部６ｃ部分或いはその周辺において張地７に皺が生じてしまった場合には当該張地７を係止プレート１５ｂと一緒に前方に引っ張って皺を解消する。このとき、本発明では、湾曲部６ｃの前後において係止プレート１５が長手方向直角の切断面１５ｄを有して分割されていると共に切断面１５ｄを挟む前後区間に無縫合領域が形成されているので、係止プレート１５が伸縮しない材質で形成されているとしても当該切断面１５ｄにおける係止プレート同士の間隔を広げることが可能であり、張地７の皺を解消することができる。
【００４４】
さらに、係止プレート１５ａ，１５ａを水平部６ａの外側面の溝１１に嵌め込む。この際も、湾曲部６ｃ部分或いはその周辺において張地７に皺が生じてしまった場合には当該張地７を係止プレート１５ａと一緒に前方に引っ張って皺を解消する。最後に、張地７の前縁部の左右端部に取り付けられたコーナー部プレート１８をサイドフレーム６の前側端部６ｄの前端面６ｅに形成されたコーナー部溝１２Ａに嵌合させる。なお、上述の例では張地７をサイドフレーム６の垂直部６ｂ側→湾曲部６ｃ部分→水平部６ａ側の順に取り付けるようにしているが、張地７をサイドフレーム６に取り付ける際の順番はこれに限られるものではなく、水平部６ａ→湾曲部６ｃ部分→垂直部６ｂ側でも良いし、湾曲部６ｃ部分を先ず取り付けてから水平部６ａ側，垂直部６ｂ側を取り付けるようにしても良い。
【００４５】
以上のように構成された本発明の張地の係止構造によれば、張地７をサイドフレーム６，６に対して張る際に張地７が張られるフレームの着座者側の面と張地７が嵌め込まれる溝１１との距離差（言い換えると、曲率半径の差違）に起因して張地７に皺が発生してしまったとしても、湾曲部６ｃの前後において係止プレート１５が切断面１５ｄを有して分割されているので、係止プレート１５に拘束されることなく張地７を引っ張ることができ、皺を解消することができる。
【００４６】
なお、上述の形態は本発明の好適な形態の一例ではあるがこれに限定されるものではなく、本発明の要旨を逸脱しない範囲において種々変形実施可能である。例えば、上述の実施形態では、本発明の張地の係止構造を図２及び図３に全体構造を示す椅子１のサイドフレーム６への張地７の取り付けに適用した場合を例に挙げて説明したが、本発明が適用され得る椅子は本実施形態の椅子１に限られるものではないし、また、例えばソファなどフレームと張地とを有する椅子の類全般に対して本発明は適用可能である。
【００４７】
また、上述の実施形態では、本発明の張地の係止構造をアルミ合金の押し出し成型品からなるサイドフレームに張地を直接取り付ける構造に適用した場合を例に挙げて説明したが、本発明が適用され得る椅子の構造はこれに限られるものではなく、図９に示す従来の椅子のように、金属製フレームに代えて張地の縁を支える樹脂製のバックアップ部材の側面に溝を設け、この溝に張地の縁を該縁に縫い付けられた樹脂製のプレートともども折り返すように嵌め込むことにより、張地をフレームあるいは張地バックアップ部材に係止させるようにしても良い。
【００４８】
また、本実施形態では、本発明の張地の係止構造を、サイドフレーム６のうちの椅子１の座４を構成する水平部６ａと背凭れ８を構成する垂直部６ｂとの間の湾曲に対応するように湾曲部６ｃにおいて分割する場合を例に挙げて説明したが、本発明が適用され得る部材や箇所はこれに限られるものではなく、座を構成するフレームの湾曲部分や背凭れを構成するフレームの湾曲部分に適用しても良いし、また、肘掛けやヘッドレストやランバーサポート等のフレームの湾曲部分に適用しても良い。また、本実施形態では、張地７の左右縁部に取り付ける係止プレート１５を分割する場合について説明したが、座の前端部分のフレームや背凭れの上端部分のフレームが湾曲している場合にはこれら座や背もたれの湾曲部に対応させて張地の前縁部や後縁部に取り付けられる係止プレートを分割するようにしても良い。
【００４９】
また、本実施形態では、一つの湾曲部６ｃに対して当該湾曲部６ｃの両端位置（即ち二箇所）において切断するようにしているが、係止プレートを切断する箇所数は二箇所に限られるものではなく、フレームの湾曲部の両端付近の位置において少なくとも二箇所切断するものであれば本発明としての効果を発揮し得る。すなわち、例えば、湾曲部の両端付近の二箇所に加えて湾曲部の中央位置付近において更に切断するようにしても良い。
【００５０】
また、本実施形態では、張地７の皺を防止することに特に着目して湾曲部６ｃの両端位置において切断する場合を例に挙げて説明したが、湾曲部の中間部において係止プレートを切断するようにすることにより、フレームの溝に係止プレートを嵌め易くすることができるという効果を発揮させ得る。特に、フレームの溝に嵌め込むための硬質部を係止プレートが有すると共にフレームの湾曲部の曲がりの程度がきつい（即ち曲率半径が小さい）場合に、湾曲部の頂部に該当する位置において係止プレートを切断し分割することにより、係止プレートの折り曲げの抵抗を軽減させて溝に嵌め込むことができるので係止プレートの挿入をスムーズにして嵌め込み作業の手間を軽減することが可能になる。
【００５１】
また、本実施形態では、一つの湾曲部６ｃに着目して本発明を適用した場合を例に挙げて説明したが、本発明を、離間して形成された複数の湾曲部を有するフレームに張地を張る場合に各々の湾曲部に対して適用するようにしても良いし、複数の湾曲部が連続して波打った形状が形成されているフレームに張地を張る場合にも適当な箇所において複数の切断面を設けて適用するようにしても良い。
【符号の説明】
【００５２】
１  椅子
２  メインフレーム
３  軸部材
４  座
５  横梁プレート
６  サイドフレーム
６ｃ  湾曲部
７  張地
１１  溝
１５（１５ａ，１５ｂ，１５ｃ）  係止プレート
１５ｄ  切断面
１５Ａ  硬質部
１５Ｂ  軟質部
【図１】
2011110279.tif 000003
【図２】
2011110279.tif 000004
【図３】
2011110279.tif 000005
【図４】
2011110279.tif 000006
【図５】
2011110279.tif 000007
【図６】
2011110279.tif 000008
【図７】
2011110279.tif 000009
【図８】
2011110279.tif 000010
【図９】
2011110279.tif 000011